(57)【特許請求の範囲】
【請求項１】
商品収納ラックの左右一対のラック側板間に商品搬出装置と対向して配設され、当該商品搬出装置とともに商品搬出通路を形成する商品収納ラックの通路幅規制板の取付構造において、
前記通路幅規制板の両側端部には、下方に向かって突出した係止爪を備え、
前記ラック側板の端縁部には、前記通路幅規制板の係止爪が挿通可能な切欠部を備え、
前記ラック側板の切欠部に挿通された前記通路幅規制板の係止爪を挿通する長穴を有し、当該係止爪を当該長穴に挿通した状態で上方に向かってスライドすることにより当該係止爪を係止し、かつ、当該通路幅規制板の側端部および当該ラック側板を覆う固定用カバーを備え、
前記商品搬出装置を前記ラック側板に架設するためのピン手段およびナット手段によって前記固定用カバーを当該ラック側板に固定することで前記通路幅規制板を当該ラック側板に固定するようにしたことを特徴とする商品収納ラックの通路幅規制板の取付構造。
【発明の詳細な説明】
【０００１】
【発明の属する技術分野】
この発明は、商品収納ラックの通路幅規制板の取付構造に関し、さらに詳しくは、商品収納ラックの奥行き寸法を小さくできるとともに、出口アジャスタを商品収納ラックに容易かつ確実に固定できる商品収納ラックの通路幅規制板の取付構造に関する。
【０００２】
【従来の技術】
周知のように、サーペンタイン式商品収納ラックの蛇行状商品通路の下端部には、販売指令に基づいて商品を搬出する商品搬出装置と、商品径に応じて通路幅を規制する通路幅規制板（以下、「出口アジャスタ」と記す）とが対向配置され、これらによって商品搬出通路が形成されている。この出口アジャスタは、ラック側板に設けられた設定溝に沿って移動可能に配設されており、その配設位置を変更することによって商品径に応じた商品搬出通路幅を設定できるようになっている。
【０００３】
このような出口アジャスタの固定構造について図示例に基づいて説明する。ここで、図２は、商品収納ラックを示す斜視図、図３は、従来の出口アジャスタを示す斜視図、図４は、出口アジャスタの商品収納ラックへの取付構造を示す斜視図である。これらの図に示すように、サーペンタイン式の商品収納ラック４の左右一対のラック側板４ａ，４ａ間には、蛇行状通路を形成するセグメント４ｂが多数設けられ、下端部には出口アジャスタ６が設けられている。
【０００４】
設定溝４ｃは、出口アジャスタ６の両側部から水平に突設した係止爪６ａを挿通して支持し、商品径に応じて支持位置を変化させることで通路幅を規制するようになっている。この設定溝４ｃは、強度を担保するために開口周縁部にバーリング加工が施されている。カール部４ｄは、ラック側板４ａの端部を補強するために筒状に曲げ加工したものである。外れ防止金具１８は、出口アジャスタ６が設定溝４ｃから外れるのを防止するために、出口アジャスタ６に沿うようにラック側板４ａに架設したものである。
【０００５】
なお、その他の出口アジャスタとして、ピン部材を介してラック側板４ａに架設するものや、同じくピン部材を介してラック側板４ａに架設され、出口アジャスタの配設位置を変更せずに、当該出口アジャスタからリンク機構により出没自在に形成されたフラッパ部材によって通路幅を調節するものも知られている。
【０００６】
【発明が解決しようとする課題】
ところで、本願出願人は、特願２０００−１４０８５３号等において、商品搬出通路幅を出口アジャスタにより調節しなくても、形状や外径寸法の異なる商品を販売できる商品搬出装置を提供している。かかる商品搬出装置を上記商品収納ラックに適用する場合、上記のような出口アジャスタ６は、たとえば角形のペットボトル商品の姿勢制御用に供されているので、出口アジャスタ６自体の配設位置を変更する必要はない。
【０００７】
一方、このような商品搬出装置を商品収納ラックに適用する場合であっても、商品収納ラック４の奥行き寸法をできるだけ小さくするとともに、商品搬出通路幅を最大限確保し、販売可能な商品径範囲を拡大したいとの要請があり、また、従来の出口アジャスタ６や商品収納ラック４に最小限の改良を加えることで、製造コストを抑えたいとの要請もある。
【０００８】
しかしながら、従来の出口アジャスタ６の取付構造は、図４に示すように、バーリング加工が施された設定溝４ｃを備えていたため、加工の都合上、出口アジャスタ６の配設スペースとして最低でもＬ＝８ｍｍ程度は必要となり、商品収納ラック４の奥行き寸法をできるだけ小さくしたいという要請の妨げになっていた。また、出口アジャスタ６が設定溝４ｃから外れるのを防止するために、専用部品である外れ防止金具１８が必要であり、これもまた上記奥行き寸法の縮小化の妨げになっていた。
【０００９】
この発明は、上記に鑑みてなされたものであって、商品収納ラックの奥行き寸法を小さくできるとともに、出口アジャスタを商品収納ラックに容易かつ確実に固定できる商品収納ラックの通路幅規制板の取付構造を提供することを目的とする。
【００１０】
【課題を解決するための手段】
上述の目的を達成するために、この発明にかかる商品収納ラックの通路幅規制板の取付構造は、商品収納ラックの左右一対のラック側板間に商品搬出装置と対向して配設され、当該商品搬出装置とともに商品搬出通路を形成する商品収納ラックの通路幅規制板の取付構造において、前記通路幅規制板の両側端部には、下方に向かって突出した係止爪を備え、前記ラック側板の端縁部には、前記通路幅規制板の係止爪が挿通可能な切欠部を備え、前記ラック側板の切欠部に挿通された前記通路幅規制板の係止爪を挿通する長穴を有し、当該係止爪を当該長穴に挿通した状態で上方に向かってスライドすることにより当該係止爪を係止し、かつ、当該通路幅規制板の側端部および当該ラック側板を覆う固定用カバーを備え、前記商品搬出装置を前記ラック側板に架設するためのピン手段およびナット手段によって前記固定用カバーを当該ラック側板に固定することで前記通路幅規制板を当該ラック側板に固定するようにしたものである。
【００１１】
したがって、従来のような通路幅規制板を取り付けるための設定溝を不要とし、商品収納ラックの奥行き寸法を小さくできるとともに、通路幅規制板を商品収納ラックに容易かつ確実に固定できる。これにより、商品搬出通路幅を最大限確保でき、販売可能な商品径範囲を拡大できる。
【００１２】
また、通路幅規制板およびラック側板に必要最小限の改良を施すことにより、従来の部材を適用することができるので、設計変更の手間や製造コストを抑えることができる。
【００１３】
【発明の実施の形態】
以下、この発明にかかる商品収納ラックの通路幅規制板の実施の形態につき図面を参照しつつ詳細に説明する。なお、この実施の形態によりこの発明が限定されるものではない。
【００１４】
図１は、この発明の実施の形態にかかる出口アジャスタの取付構造を示す分解斜視図である。なお、以下の説明において、すでに説明した部材と同一もしくは相当する部材には、同一の符号を付して重複説明を省略または簡略化する。
【００１５】
図１に示すように、出口アジャスタ６の左右両端部には、下向きに突出したＬ字状の係止爪６ｂと、突起部６ｃが形成されている。ラック側板４ａの端縁部には、出口アジャスタ６の係止爪６ｂおよび突起部６ｃが挿通可能な切欠部４ｅが設けられている。この切欠部４ｅの切欠量は、出口アジャスタ６のほぼ板厚程度であり、係止爪６ｂおよび突起部６ｃが適切に係止されるように形成されている。なお、ラック側板４ａの背面側も同様の切欠部４ｅが形成されている。穴４ｆ，４ｇは、上述した商品搬出装置（図示せず）をラック側板４ａ，４ａ間に架設するピン１０を挿通するためのものである。
【００１６】
固定用カバー８は、出口アジャスタ６をラック側板４ａの切欠部４ｅに係止した後、ラック側板４ａの表面を覆うようにしながら係止爪６ｂおよび突起部６ｃを長穴８ａに挿通して上方にスライドすることにより、出口アジャスタ６を固定するものである。そして、ピン１０を穴８ｂ，４ｆに挿通し、プッシュナット１２で締めることにより、出口アジャスタ６がラック側板４ａに固定されるようになっている。このとき、出口アジャスタ６の係止爪６ｂが固定用カバー８の表面を係止しているので、出口アジャスタ６がラック側板４ａから外れることがない。
【００１７】
このような出口アジャスタ６の取付構造を採用したことにより、従来の出口アジャスタ６の配設スペースとして、たとえばＬ＝約８ｍｍ必要であったところ（図４参照）、約４ｍｍの配設スペースで済むようになり、商品収納ラック４の奥行き寸法を小さくできることが確認できた。
【００１８】
以上のように、この実施の形態にかかる出口アジャスタ６の取付構造によれば、従来のような設定溝４ｃを不要とし、商品収納ラック４の奥行き寸法を小さくできるとともに、出口アジャスタ６を商品収納ラック４に容易かつ確実に固定できる。これにより、商品搬出通路幅を最大限確保でき、販売可能な商品径範囲を拡大できる。
【００１９】
また、出口アジャスタ６およびラック側板４ａに必要最小限の改良を施すことにより、従来の部材を適用することができるので、設計変更の手間や製造コストを抑えることができる。
【００２０】
【発明の効果】
以上説明したように、この発明にかかる商品収納ラックの通路幅規制板の取付構造によれば、商品収納ラックの左右一対のラック側板間に商品搬出装置と対向して配設され、当該商品搬出装置とともに商品搬出通路を形成する商品収納ラックの通路幅規制板の取付構造において、前記通路幅規制板の両側端部には、下方に向かって突出した係止爪を備え、前記ラック側板の端縁部には、前記通路幅規制板の係止爪が挿通可能な切欠部を備え、前記ラック側板の切欠部に挿通された前記通路幅規制板の係止爪を挿通する長穴を有し、当該係止爪を当該長穴に挿通した状態で上方に向かってスライドすることにより当該係止爪を係止し、かつ、当該通路幅規制板の側端部および当該ラック側板を覆う固定用カバーを備え、前記商品搬出装置を前記ラック側板に架設するためのピン手段およびナット手段によって前記固定用カバーを当該ラック側板に固定することで前記通路幅規制板を当該ラック側板に固定するようにしたので、従来のような通路幅規制板を取り付けるための設定溝を不要とし、商品収納ラックの奥行き寸法を小さくできるとともに、通路幅規制板を商品収納ラックに容易かつ確実に固定できる。これにより、商品搬出通路幅を最大限確保でき、販売可能な商品径範囲を拡大できる。
【００２１】
また、通路幅規制板およびラック側板に必要最小限の改良を施すことにより、従来の部材を適用することができるので、設計変更の手間や製造コストを抑えることができる。
【図面の簡単な説明】
【図１】この発明の実施の形態にかかる出口アジャスタの取付構造を示す分解斜視図である。
【図２】商品収納ラックを示す斜視図である。
【図３】従来の出口アジャスタを示す斜視図である。
【図４】出口アジャスタの商品収納ラックへの取付構造を示す斜視図である。
【符号の説明】
４  商品収納ラック
４ａ  ラック側板
４ｄ  カール部
４ｅ  切欠部
４ｆ、４ｇ  穴
６  出口アジャスタ
６ｂ  係止爪
６ｃ  突起部
８  固定用カバー
８ａ  長穴
８ｂ  穴
１０  ピン
１２  プッシュナット
【図１】
0004396040.tif 000002
【図２】
0004396040.tif 000003
【図３】
0004396040.tif 000004
【図４】
0004396040.tif 000005